(57)【要約】  本発明は、携帯インターネット網と他の種類の網との連動機能を提供する方法及びシステムに関するものである。  本発明は、移動通信端末機が携帯インターネット網（Portable Internet Network）に接続すれば、現在接続された前記携帯インターネット網のアクセス網識別情報（ＡＮＩＤ：Access Network Identification）を獲得する方法であって、（ａ）前記移動通信端末機が前記携帯インターネット網に接続すれば、基地局からメディアアクセス階層管理メッセージ（MAC Management Message）を受信するステップと、（ｂ）前記メディアアクセス階層管理メッセージから基地局識別情報を抽出するステップと、（ｃ）前記基地局識別情報から前記移動通信端末機が接続されたネットワークを識別するための前記アクセス網識別情報を獲得するステップと、を含むことを特徴とする携帯インターネット網のアクセス網識別情報を獲得する方法及びこれを遂行するためのシステムに関するものである。  本発明によれば、携帯インターネット網と他の種類の網の連動時、携帯インターネット網のアクセス網情報を他の種類の網に伝達できるようにすることで、携帯インターネット網システムのネットワーク情報獲得方案を提示するという効果がある。
2008507937.tif 000002
【特許請求の範囲】
【請求項１】
移動通信端末機が携帯インターネット網（Portable Internet Network）に接続したときに現在接続された前記携帯インターネット網のアクセス網識別情報（ＡＮＩＤ：Access Network Identification）を獲得する方法であって、
（ａ）前記移動通信端末機が前記携帯インターネット網に接続すれば、基地局からメディアアクセス階層管理メッセージ（MAC Management Message）を受信するステップと、
（ｂ）前記メディアアクセス階層管理メッセージから基地局識別情報を抽出するステップと、
（ｃ）前記基地局識別情報から前記移動通信端末機が接続されたネットワークを識別するための前記アクセス網識別情報を獲得するステップと、
を含むことを特徴とする携帯インターネット網のアクセス網識別情報を獲得する方法。
【請求項２】
前記ステップ（ｂ）において、
前記基地局識別情報は、前記メディアアクセス階層管理メッセージにおいて、ダウンリンク接続情報を定義しているＤＬ−ＭＡＰメッセージから抽出することを特徴とする請求項１記載の携帯インターネット網のアクセス網識別情報を獲得する方法。
【請求項３】
前記移動通信端末機が前記携帯インターネット網から他の種類の網へハンドオフまたはローミング時に、前記基地局識別情報から一部または全部を抽出した前記アクセス網識別情報を前記他の種類の網に伝送することを特徴とする請求項１記載の携帯インターネット網のアクセス網識別情報を獲得する方法。
【請求項４】
前記基地局識別情報は、４８ビット（Bit）で具現されたり、または、携帯インターネット網システムに適合するように具現されることを特徴とする請求項１記載の携帯インターネット網のアクセス網識別情報を獲得する方法。
【請求項５】
前記基地局識別情報は、システム識別情報（ＳＩＤ：System Identification）、ネットワーク識別情報（ＮＩＤ：Network Identification）、パケット地域識別情報（ＰＺＩＤ：Packet Zone Identification）及び基地局情報に分離されて格納されたり、または、前記システム識別情報、前記ネットワーク識別情報、前記パケット地域識別情報、及び前記基地局情報が抽出できる形態で格納されることを特徴とする請求項１記載の携帯インターネット網のアクセス網識別情報を獲得する方法。
【請求項６】
前記システム識別情報は１６ビット、前記ネットワーク識別情報は１６ビット、前記パケット地域識別情報は８ビット、前記基地局情報は８ビットで具現されたり、または、携帯インターネット網システムに適合するように具現されることを特徴とする請求項５記載の携帯インターネット網のアクセス網識別情報を獲得する方法。
【請求項７】
前記移動通信端末機は、前記携帯インターネット網及び他の種類の網を同時に利用するためにデュアルスタック（Dual Stack）を運用することを特徴とする請求項１記載の携帯インターネット網のアクセス網識別情報を獲得する方法。
【請求項８】
前記他の種類の網は、ＣＤＭＡ ２０００網、ＧＳＭ（Global System for Mobile）網、またはＷ−ＣＤＭＡ（Wideband CDMA）網を含むことを特徴とする請求項３または６記載の携帯インターネット網のアクセス網識別情報を獲得する方法。
【請求項９】
携帯インターネット網（Portable Internet Network）に接続されていた移動通信端末機が携帯インターネット網から他の種類の網へ接続時に、通信サービスを持続するための、前記携帯インターネット網と前記他の種類の網との連動機能を提供する方法であって、
（ａ）前記移動通信端末機が前記携帯インターネット網に接続すれば、基地局から基地局識別情報を受信するステップと、
（ｂ）前記基地局識別情報から前記移動通信端末機が接続されたネットワークを識別するためのアクセス網識別情報を獲得するステップと、
（ｃ）前記移動通信端末機が前記他の種類の網に移動時、前記アクセス網識別情報を前記他の種類の網に伝送するステップと、
を含むことを特徴とする携帯インターネット網と他の種類の網との連動機能を提供する方法。
【請求項１０】
前記基地局識別情報は、メディアアクセス階層管理メッセージ（MAC Management Message）において、ダウンリンク接続情報を定義しているＤＬ−ＭＡＰメッセージに含まれることを特徴とする請求項９記載の携帯インターネット網と他の種類の網との連動機能を提供する方法。
【請求項１１】
前記ステップ（ｃ）において、
前記移動通信端末機の前記移動時、前記携帯インターネット網から他の種類の網へハンドオフまたはローミングしなければならないことを特徴とする請求項９記載の携帯インターネット網と他の種類の網との連動機能を提供する方法。
【請求項１２】
前記基地局識別情報は、４８ビット（Bit）で具現されたり、または、携帯インターネット網システムに適合するように具現されることを特徴とする請求項９記載の携帯インターネット網と他の種類の網との連動機能を提供する方法。
【請求項１３】
前記基地局識別情報は、システム識別情報（ＳＩＤ：System Identification）、ネットワーク識別情報（ＮＩＤ：Network Identification）、パケット地域識別情報（ＰＺＩＤ：Packet Zone Identification）及び基地局情報に分離されて格納されたり、または、前記システム識別情報、前記ネットワーク識別情報、前記パケット地域識別情報及び前記基地局情報が抽出できる形態で格納されることを特徴とする請求項９記載の携帯インターネット網と他の種類の網との連動機能を提供する方法。
【請求項１４】
前記システム識別情報は１６ビット、前記ネットワーク識別情報は１６ビット、前記パケット地域識別情報は８ビット、前記基地局情報は８ビットで具現されたり、または、携帯インターネット網システムに適合するように具現されることを特徴とする請求項１３記載の携帯インターネット網と他の種類の網との連動機能を提供する方法。
【請求項１５】
前記移動通信端末機は、前記携帯インターネット網及び他の種類の網を同時に利用するためにデュアルスタック（Dual Stack）を運用することを特徴とする請求項９記載の携帯インターネット網と他の種類の網との連動機能を提供する方法。
【請求項１６】
前記他の種類の網は、ＣＤＭＡ ２０００網、ＧＳＭ（Global System for Mobile）網、または、Ｗ−ＣＤＭＡ（Wideband CDMA）網を含むことを特徴とする請求項９記載の携帯インターネット網と他の種類の網との連動機能を提供する方法。
【請求項１７】
携帯インターネット網（Portable Internet Network）に接続されていた移動通信端末機が前記携帯インターネット網から他の種類の網へ接続時に通信サービスを持続するための、前記携帯インターネット網と前記他の種類の網との連動機能を提供するシステムであって、
前記移動通信端末機が前記携帯インターネット網に接続すれば、前記移動通信端末機に基地局識別情報を受信する基地局と、
前記基地局から受信した前記基地局識別情報から接続されたネットワークを識別するためのアクセス網識別情報を獲得して、前記他の種類の網に移動時、前記アクセス網識別情報を前記他の種類の網に伝送する移動通信端末機と、
を含むことを特徴とする携帯インターネット網と他の種類の網との連動機能を提供するシステム。
【請求項１８】
前記基地局識別情報は、メディアアクセス階層管理メッセージ（MAC Management Message）において、ダウンリンク接続情報を定義しているＤＬ−ＭＡＰメッセージに含まれることを特徴とする請求項１７記載の携帯インターネット網と他の種類の網との連動機能を提供するシステム。
【請求項１９】
前記移動通信端末機の前記移動時、前記携帯インターネット網から他の種類の網へハンドオフまたはローミングしなければならないことを特徴とする請求項１７記載の携帯インターネット網と他の種類の網との連動機能を提供するシステム。
【請求項２０】
前記基地局識別情報は４８ビット（Bit）で具現されたり、または、携帯インターネット網システムに適合するように具現されることを特徴とする請求項１７記載の携帯インターネット網と他の種類の網との連動機能を提供するシステム。
【請求項２１】
前記基地局識別情報は、システム識別情報（ＳＩＤ：System Identification）、ネットワーク識別情報（ＮＩＤ：Network Identification）、パケット地域識別情報（ＰＺＩＤ：Packet Zone Identification）及び基地局情報に分離されて格納されたり、または、前記システム識別情報、前記ネットワーク識別情報、前記パケット地域識別情報及び前記基地局情報が抽出できる形態で格納されることを特徴とする請求項１７記載の携帯インターネット網と他の種類の網との連動機能を提供するシステム。
【請求項２２】
前記システム識別情報は１６ビット、前記ネットワーク識別情報は１６ビット、前記パケット地域識別情報は８ビット、前記基地局情報は８ビットで具現されたり、または、携帯インターネット網システムに適合するように具現されることを特徴とする請求項２１記載の携帯インターネット網と他の種類の網との連動機能を提供するシステム。
【請求項２３】
前記移動通信端末機は、前記携帯インターネット網及び他の種類の網を同時に利用するためにデュアルスタック（Dual Stack）を運用することを特徴とする請求項１７記載の携帯インターネット網と他の種類の網との連動機能を提供するシステム。
【請求項２４】
前記他の種類の網は、ＣＤＭＡ ２０００網、ＧＳＭ（Global System for Mobile）網、または、Ｗ−ＣＤＭＡ（Wideband CDMA）網を含むことを特徴とする請求項１７記載の携帯インターネット網と他の種類の網との連動機能を提供するシステム。
【請求項２５】
前記移動通信端末機は、ＰＤＡ（Personal Digital Assistant）、セルラーフォン、ＰＣＳ（Personal Communication Service）フォン、ハンドヘルドＰＣ（Hand-Held PC）、ＧＳＭ（Global System for Mobile）フォン、Ｗ−ＣＤＭＡ（Wideband CDMA）フォン、ＣＤＭＡ−２０００フォン及びＭＢＳ（Mobile Broadband System）フォンのうち、一つ以上であることを特徴とする請求項１７記載の携帯インターネット網と他の種類の網との連動機能を提供するシステム。
【請求項２６】
携帯インターネット網（Portable Internet Network）に接続されていた移動通信端末機が前記携帯インターネット網から他の種類の網へ接続時に通信サービスを持続するための、前記携帯インターネット網と前記他の種類の網との連動機能を提供する移動通信端末機であって、
前記携帯インターネット網に接続時、基地局から基地局識別情報を受信して、前記基地局識別情報から接続されたネットワークを識別するためのアクセス網識別情報を獲得して、前記他の種類の網に移動時、前記アクセス網識別情報を前記他の種類の網に伝送して前記携帯インターネット網と前記他の種類の網との連動機能を遂行するようにすることを特徴とする携帯インターネット網と他の種類の網との連動機能を提供する移動通信端末機。
【請求項２７】
前記基地局識別情報は、メディアアクセス階層管理メッセージ（MAC Management Message）において、ダウンリンク接続情報を定義しているＤＬ−ＭＡＰメッセージに含まれることを特徴とする請求項２６記載の携帯インターネット網と他の種類の網との連動機能を提供する移動通信端末機。
【請求項２８】
前記移動通信端末機の前記移動時、前記携帯インターネット網から他の種類の網へハンドオフまたはローミングしなければならないことを特徴とする請求項２６記載の携帯インターネット網と他の種類の網との連動機能を提供する移動通信端末機。
【請求項２９】
前記基地局識別情報は４８ビット（Bit）で具現されたり、または、携帯インターネット網システムに適合するように具現されることを特徴とする請求項２６記載の携帯インターネット網と他の種類の網との連動機能を提供する移動通信端末機。
【請求項３０】
前記基地局識別情報は、システム識別情報（ＳＩＤ：System Identification）、ネットワーク識別情報（ＮＩＤ：Network Identification）、パケット地域識別情報（ＰＺＩＤ：Packet Zone Identification）及び基地局情報に分離されて格納されたり、または前記システム識別情報、前記ネットワーク識別情報、前記パケット地域識別情報、及び前記基地局情報が抽出できる形態で格納されることを特徴とする請求項２６記載の携帯インターネット網と他の種類の網との連動機能を提供する移動通信端末機。
【請求項３１】
前記システム識別情報は１６ビット、前記ネットワーク識別情報は１６ビット、前記パケット地域識別情報は８ビット、前記基地局情報は８ビットで具現されたり、または、携帯インターネット網システムに適合するように具現されることを特徴とする請求項３０記載の携帯インターネット網と他の種類の網との連動機能を提供する移動通信端末機。
【請求項３２】
前記移動通信端末機は、前記携帯インターネット網及び他の種類の網を同時に利用するためにデュアルスタック（Dual Stack）を運用することを特徴とする請求項２６記載の携帯インターネット網と他の種類の網との連動機能を提供する移動通信端末機。
【請求項３３】
前記他の種類の網は、ＣＤＭＡ ２０００網、ＧＳＭ（Global System for Mobile）網、または、Ｗ−ＣＤＭＡ（Wideband CDMA）網を含むことを特徴とする請求項２６記載の携帯インターネット網と他の種類の網との連動機能を提供する移動通信端末機。
【請求項３４】
前記移動通信端末機は、ＰＤＡ（Personal Digital Assistant）、セルラーフォン、ＰＣＳ（Personal Communication Service）フォン、ハンドヘルドＰＣ（Hand-Held PC）、ＧＳＭ（Global System for Mobile）フォン、Ｗ−ＣＤＭＡ（Wideband CDMA）フォン、ＣＤＭＡ−２０００フォン及びＭＢＳ（Mobile Broadband System）フォンのうち、一つ以上であることを特徴とする請求項２６記載の携帯インターネット網と他の種類の網との連動機能を提供する移動通信端末機。
【請求項３５】
移動通信端末機が移動する中に、前記移動通信端末機が携帯インターネット網（Portable Internet Network）に接続すれば、前記携帯インターネット網との接続の以前に接続されていた他網を把握して通信サービスを持続するための、前記携帯インターネット網と前記他網との連動機能を提供する方法であって、
（ａ）前記移動通信端末機が前記携帯インターネット網に接続すれば、前記移動通信端末機から前記携帯インターネット網に接続する当時に接続していたアクセス網に対する以前アクセス網情報が含まれた接続メッセージを受信するステップと、
（ｂ）前記以前アクセス網情報を用いて接続解除する前記以前アクセス網のパケットデータサービングノード（ＰＤＳＮ：Packet Data Serving Node）を選択するステップと、
（ｃ）前記以前アクセス網の前記パケットデータサービングノードとの接続を解除して前記携帯インターネット網との接続を維持するステップと、
を含むことを特徴とする携帯インターネット網と他網との連動機能を提供する方法。
【請求項３６】
移動通信端末機が移動する中に、前記移動通信端末機が携帯インターネット網（Portable Internet Network）に接続すれば、前記携帯インターネット網との接続の以前に接続されていた他網を把握して通信サービスを持続するために前記移動通信端末機で以前アクセス網情報を提供する方法であって、
（ａ）前記携帯インターネット網接続時、現在の呼が前記携帯インターネット網に接続する当時に接続していた以前アクセス網との連続呼であるかどうかを判断するステップと、
（ｂ）前記（ａ）ステップの判断結果、前記現在の呼が前記以前アクセス網との連続呼の場合、前記以前アクセス網情報を含んだ接続メッセージを基地局に伝送して前記連動機能を遂行するようにするステップと、
を含むことを特徴とする携帯インターネット網と他網との連動機能を提供するために以前アクセス網情報を提供する方法。
【請求項３７】
移動通信端末機が移動する中に、前記移動通信端末機が携帯インターネット網（Portable Internet Network）に接続すれば、前記携帯インターネット網との接続の以前に接続されていた他網を把握して通信サービスを持続するための、前記携帯インターネット網と前記他網との連動機能を提供するシステムであって、
前記携帯インターネット網接続時、現在の呼が前記携帯インターネット網に接続する当時に接続していた以前アクセス網との連続呼であるかどうかを判断して、前記現在の呼が前記以前アクセス網との連続呼の場合、前記以前アクセス網情報を含んだ接続メッセージを伝送する移動通信端末機と、
前記移動通信端末機から基地局を経由して前記接続メッセージを受信すれば、前記以前アクセス網情報を用いて接続解除する前記以前アクセス網のパケットデータサービングノード（ＰＤＳＮ：Packet Data Serving Node）を選択するアクセスコントロールルータ（ＡＣＲ：Access Control Router）と、
を含むことを特徴とする携帯インターネット網と他網との連動機能を提供するシステム。
【請求項３８】
移動通信端末機が移動する中に、前記移動通信端末機が携帯インターネット網（Portable Internet Network）に接続すれば、前記携帯インターネット網との接続の以前に接続されていた他網を把握して通信サービスを持続するための、前記携帯インターネット網と前記他網との連動機能を提供する移動通信端末機であって、
前記携帯インターネット網に接続する時、現在の呼が前記携帯インターネット網に接続する当時に接続していた以前アクセス網と通信していた連続呼であるかどうかを判断して、前記現在の呼が前記以前アクセス網との連続呼の場合、以前アクセス網情報を含んだ接続メッセージを基地局に伝送して、前記以前アクセス網との連動機能を遂行するようにすることを特徴とする携帯インターネット網と他網との連動機能を提供する移動通信端末機。
【発明の詳細な説明】
【技術分野】
【０００１】
本発明は、携帯インターネット網と他の種類の網との連動機能を提供する方法及びシステムに関し、より詳しくは、現在充分のインフラ（Infra Structure）を有しているＣＤＭＡ ２０００網のような既存網と携帯インターネット網（ＰＩ：Portable Internet）網を連動する際、携帯インターネット網のネットワーク情報を既存網に伝達することによって、携帯インターネット網と他の種類の網との連動機能を提供する方法及びシステムに関する。
【背景技術】
【０００２】
コンピュータ、電子、通信技術が飛躍的に発展することにつれて、無線通信網（Wireless Network）を用いた多様な無線通信サービスが提供されている。最も基本的な無線通信サービスは、移動通信端末機使用者に無線で音声通話を提供する無線音声通話サービスであって、これは時間と場所にかかわらず、サービスが提供できるという特徴がある。また、文字メッセージサービスを提供して音声通話サービスを補完してくれる一方、最近は移動通信端末機の使用者に無線通信網を通じてインターネット通信サービスを提供する無線インターネットサービスが台頭した。
【０００３】
このように移動通信技術の発達によって、符号分割多重接続（ＣＤＭＡ：Code Division Multiple Access）移動通信システムで提供するサービスは、音声サービスだけでなく、サーキット（Circuit）データ、パケット（Packet）データなどのようなデータを伝送するマルチメディア通信サービスに発展している。
【０００４】
また、最近は、情報通信の発達によりＩＴＵ−Ｒで標準に制定している第３世代の移動通信システムであるＩＭＴ−２０００（International Mobile Telecommunication 2000）（例えば、ＣＤＭＡ ２０００１Ｘ、３Ｘ、ＥＶ−ＤＯ、ＷＣＤＭＡ（Wideband CDMA ）等）が常用化されている。最近は、既存のＩＳ−９５Ａ、ＩＳ−９５Ｂ網から進化したＩＳ−９５Ｃ網を用いてＩＳ−９５Ａ、ＩＳ−９５Ｂ網で支援可能なデータ伝送速度である１４．４ｋｂｐｓや５６ｋｂｐｓよりはるかに速い最高３０７．２ｋｂｐｓの伝送速度で無線インターネットを提供している。特に、ＩＭＴ−２０００サービスを利用すれば、既存の音声及びＷＡＰサービス品質の向上は勿論、各種マルチメディアサービス（ＡＯＤ、ＶＯＤ等）をより速い速度で提供することができる。
【０００５】
しかしながら、既存の移動通信システムは、基地局構築費用が高いため、無線インターネットの利用料金が高くて、移動通信端末機の画面大きさが小さいため、利用できるコンテンツに制約がある等、超高速無線インターネットを提供するには限界がある。また、無線ラン（Wireless Local Area Network）技術は伝播干渉及び狭い使用領域（Coverage）などの問題で公衆サービスの提供に限界がある。したがって、携帯性と移動性が保障され、低価の料金で超高速無線インターネットサービスが利用できる超高速携帯インターネット網（High-Speed Portable Internet；以下、‘ＨＰｉ’と称する）システムが台頭した。
【０００６】
ＨＰｉシステムは、ノートブック、ＰＤＡ、Ｈａｎｄｈｅｌｄ ＰＣなど、多様な形態のポータブル移動通信端末機を用いて室内及び室外の停止環境で、また歩行速度及び中低速移動水準の移動環境でインターネットに接続して多様な情報及びコンテンツ利用が可能なサービスである。また、時速６０ｋｍ／ｈの移動性を提供して、下り伝送速度は２４．８Ｍｂｐｓであるが、上り伝送速度は５．２Ｍｂｐｓで、上下り非対称伝送特性を有するＩＰ（Internet Protocol）基盤の無線データシステムである。
【０００７】
ＨＰｉシステムは、２．３ＧＨｚ周波数帯域を使用して、割当てられた周波数スペクトルを效果的に利用するために、デュプレックス（Duplex）方式にはＴＤＤ（Time Division Duplex）を、多重接続（Multiple Access）方式にはＯＦＤＭＡ（Orthogonal Frequency Division Multiple Access）／ＴＤＭＡ（Time Division Multiple Access）を使用する。ここで、ＯＦＤＭＡ／ＴＤＭＡとは、全帯域幅に広まっている全ての副搬送波を一定時間の間、一人の使用者に割り当てて、次の一定時間の間、もう一つの使用者に割り当てるＴＤＭＡと類似の多重接続方式である。
【０００８】
このように新しいシステムが導入されることにつれて、既存網と新しい網の連動機能が必要となった。使用者はネットワークの形態に制限されない多様なサービスを要求しているので、現在このような使用者の要求を充足させるための連動網の構築が表面化して表れている。このような連動網構築に対しては３Ｇ移動通信とＷＬＡＮに対する研究が最も活発に進行している。しかしながら、これらのネットワークは、独立的に発展してきたのであり、互いに異なる規格及び標準を使用している。したがって、各ネットワークの連動のためにはアーキテクチャー（Architecture）、プロトコル構造、移動性、サービス品質、認証、保安及び課金などのような多様な事項が考えられなければならなくて、各事項に対する修正及び補完が伴わなければならない。
【０００９】
３Ｇ-ＷＬＡＮ連動方式を網の観点から見れば、疎結合（Loosely-Coupled）連動方案と密結合（Tightly-Coupled）連動方案とに大別される。
【００１０】
疎結合（Loosely-Coupled）連動方案は、３Ｇ網とＷＬＡＮが別途に存在しながら独立的なサービスを遂行して、連動を必要とするローミング（Roaming）サービスなどのために、認証及び課金連動のための交換機（Gateway）が追加される。また、３Ｇ−ＷＬＡＮ間移動性の提供は、移動ＩＰ（ＭＩＰ：Mobile IP）を基盤とする。
【００１１】
密結合（Tightly-Coupled）連動方案は、ＷＬＡＮアクセスポイント（ＡＰ：Access Point）が３Ｇデータ核心網に連結されて統合された使用者認証及び課金、統合された網管理を可能にし、ＭＩＰに基づいた疎結合（Loosely-Coupled）連動方案に比べて連続的なサービス提供が容易であるという長所がある。
【００１２】
一方、ＣＤＭＡ ２０００網のような既存網と携帯インターネット網の連動網を構成する場合、ＣＤＭＡ ２０００網は既に充分のインフラを揃えて常用サービスを提供している網であるため、ＣＤＭＡ ２０００網の変更を伴う連動方案は網事業者の立場で好ましい方案ということができない。したがって、ＣＤＭＡ ２０００網と携帯インターネット網の連動網を構成する時にはできるだけ網の変更事項を最小にする方案が好ましい。
【００１３】
この場合、携帯インターネット網の連動方案も３ＧとＷＬＡＮの連動方案と類似の型式で遂行すればよいが、ＣＤＭＡ ２０００網では基本的に現在の接続網に対する情報を知らせるためのアクセス網ＩＤ（ＡＮＩＤ：Access Network ID）のような網情報を知らせるためのメッセージ（Message）が定義されてあり、これの伝達に関しても標準化している。しかしながら、携帯インターネット網では、このようなＡＮＩＤメッセージの獲得方案が定義されていないのみならず、ＡＮＩＤメッセージの伝達方案も定義されていなくて、ハンドオフ／ローミングのためには、携帯インターネット網のＡＮＩＤを獲得した後、伝達するための方案が別に用意される必要性がある。
【発明の開示】
【発明が解決しようとする課題】
【００１４】
前述した要求事項に応ずるための本発明の目的は、現在充分のインフラ（Infra Structure）を有しているＣＤＭＡ  ２０００網のような既存網と携帯インターネット網（ＰＩ：Portable Internet）網を連動する際、携帯インターネット網のネットワーク情報を既存網に伝達することによって、携帯インターネット網と他の種類の網との連動機能を提供する方法及びシステムを提供するものである。
【課題を解決するための手段】
【００１５】
本発明の第１の目的によれば、移動通信端末機が携帯インターネット網（Portable Internet Network）に接続したときに、現在接続された前記携帯インターネット網のアクセス網識別情報（ＡＮＩＤ：Access Network Identification）を獲得する方法であって、（ａ）前記移動通信端末機が前記携帯インターネット網に接続すれば、基地局からメディアアクセス階層管理メッセージ（MAC Management Message）を受信するステップと、（ｂ）前記メディアアクセス階層管理メッセージから基地局識別情報を抽出するステップと、（ｃ）前記基地局識別情報から前記移動通信端末機が接続されたネットワークを識別するための前記アクセス網識別情報を獲得するステップと、を含むことを特徴とする携帯インターネット網のアクセス網識別情報を獲得する方法を提供する。
【００１６】
本発明の第２の目的によれば、携帯インターネット網（Portable Internet Network）に接続されていた移動通信端末機が携帯インターネット網から他の種類の網へ接続時に、通信サービスを持続するための、前記携帯インターネット網と前記他の種類の網との連動機能を提供する方法であって、（ａ）前記移動通信端末機が前記携帯インターネット網に接続すれば、基地局から基地局識別情報を受信するステップと、（ｂ）前記基地局識別情報から前記移動通信端末機が接続されたネットワークを識別するためのアクセス網識別情報を獲得するステップと、（ｃ）前記移動通信端末機が前記他の種類の網に移動時、前記アクセス網識別情報を前記他の種類の網に伝送するステップと、を含むことを特徴とする携帯インターネット網と他の種類の網との連動機能を提供する方法を提供する。
【００１７】
本発明の第３の目的によれば、携帯インターネット網（Portable Internet Network）に接続されていた移動通信端末機が前記携帯インターネット網から他の種類の網へ接続時に通信サービスを持続するための、前記携帯インターネット網と前記他の種類の網との連動機能を提供するシステムであって、前記移動通信端末機が前記携帯インターネット網に接続すれば、前記移動通信端末機に基地局識別情報を受信する基地局と、前記基地局から受信した前記基地局識別情報から接続されたネットワークを識別するためのアクセス網識別情報を獲得して、前記他の種類の網に移動時、前記アクセス網識別情報を前記他の種類の網に伝送する移動通信端末機と、を含むことを特徴とする携帯インターネット網と他の種類の網との連動機能を提供するシステムを提供する。
【００１８】
本発明の第４の目的によれば、携帯インターネット網（Portable Internet Network）に接続されていた移動通信端末機が前記携帯インターネット網から他の種類の網へ接続時に通信サービスを持続するための、前記携帯インターネット網と前記他の種類の網との連動機能を提供する移動通信端末機であって、前記携帯インターネット網に接続時、基地局から基地局識別情報を受信して、前記基地局識別情報から接続されたネットワークを識別するためのアクセス網識別情報を獲得して、前記他の種類の網に移動時、前記アクセス網識別情報を前記他の種類の網に伝送して前記携帯インターネット網と前記他の種類の網との連動機能を遂行するようにすることを特徴とする携帯インターネット網と他の種類の網との連動機能を提供する移動通信端末機を提供する。
【００１９】
本発明の第５の目的によれば、移動通信端末機が移動する中に、前記移動通信端末機が携帯インターネット網（Portable Internet Network）に接続すれば、前記携帯インターネット網との接続の以前に接続されていた他網を把握して通信サービスを持続するための、前記携帯インターネット網と前記他網との連動機能を提供する方法であって、（ａ）前記移動通信端末機が前記携帯インターネット網に接続すれば、前記移動通信端末機から前記携帯インターネット網に接続する当時に接続していたアクセス網に対する以前アクセス網情報が含まれた接続メッセージを受信するステップと、（ｂ）前記以前アクセス網情報を用いて接続解除する前記以前アクセス網のパケットデータサービングノード（ＰＤＳＮ：Packet Data Serving Node）を選択するステップと、（ｃ）前記以前アクセス網の前記パケットデータサービングノードとの接続を解除して前記携帯インターネット網との接続を維持するステップと、を含むことを特徴とする携帯インターネット網と他網との連動機能を提供する方法を提供する。
【００２０】
本発明の第６の目的によれば、移動通信端末機が移動する中に、前記移動通信端末機が携帯インターネット網（Portable Internet Network）に接続すれば、前記携帯インターネット網との接続の以前に接続されていた他網を把握して通信サービスを持続するために前記移動通信端末機で以前アクセス網情報を提供する方法であって、（ａ）前記携帯インターネット網接続時、現在の呼が前記携帯インターネット網に接続する当時に接続していた以前アクセス網との連続呼であるかどうかを判断するステップと、（ｂ）前記（ａ）ステップの判断結果、前記現在の呼が前記以前アクセス網との連続呼の場合、前記以前アクセス網情報を含んだ接続メッセージを基地局に伝送して前記連動機能を遂行するようにするステップと、を含むことを特徴とする携帯インターネット網と他網との連動機能を提供するために以前アクセス網情報を提供する方法を提供する。
【００２１】
本発明の第７の目的によれば、移動通信端末機が移動する中に、前記移動通信端末機が携帯インターネット網（Portable Internet Network）に接続すれば、前記携帯インターネット網との接続の以前に接続されていた他網を把握して通信サービスを持続するための、前記携帯インターネット網と前記他網との連動機能を提供するシステムであって、前記携帯インターネット網接続時、現在の呼が前記携帯インターネット網に接続する当時に接続していた以前アクセス網との連続呼であるかどうかを判断して、前記現在の呼が前記以前アクセス網との連続呼の場合、前記以前アクセス網情報を含んだ接続メッセージを伝送する移動通信端末機と、前記移動通信端末機から基地局を経由して前記接続メッセージを受信すれば、前記以前アクセス網情報を用いて接続解除する前記以前アクセス網のパケットデータサービングノード（ＰＤＳＮ：Packet Data Serving Node）を選択するアクセスコントロールルータ（ＡＣＲ：Access Control Router）を含むことを特徴とする携帯インターネット網と他網との連動機能を提供するシステムを提供する。
【００２２】
本発明の第８の目的によれば、移動通信端末機が移動する中に、前記移動通信端末機が携帯インターネット網（Portable Internet Network）に接続すれば、前記携帯インターネット網との接続の以前に接続されていた他網を把握して通信サービスを持続するための、前記携帯インターネット網と前記他網との連動機能を提供する移動通信端末機であって、前記携帯インターネット網に接続する時、現在の呼が前記携帯インターネット網に接続する当時に接続していた以前アクセス網と通信していた連続呼であるかどうかを判断して、前記現在の呼が前記以前アクセス網との連続呼の場合、以前アクセス網情報を含んだ接続メッセージを基地局に伝送して、前記以前アクセス網との連動機能を遂行するようにすることを特徴とする携帯インターネット網と他網との連動機能を提供する移動通信端末機を提供する。
【産業上の利用可能性】
【００２３】
以上、説明したように、本発明によれば、携帯インターネット網と他の種類の網の連動時、携帯インターネット網のアクセス網情報を他の種類の網に伝達できるようにすることで、携帯インターネット網システムのネットワーク情報獲得方案を提示するという効果がある。それによって、携帯インターネット網からＣＤＭＡ ２０００網のような移動電話網へのローミング及びハンドオフも效率的に可能であるという長所もある。
【００２４】
一方、本発明を通じて使用者は移動電話と携帯インターネット網間でもローミング及びハンドオフサービスを提供受けることができるので、サービスの満足度が改善できるという効果があり、併せて、事業者立場ではこれを通じたサービス売出増大と多様な付加サービス創出及び収益増大などの効果がある。
【発明を実施するための最良の形態】
【００２５】
以下、本発明の好ましい実施例を添付した図面を参照しつつ詳細に説明する。まず、各図面の構成要素への参照符号の付加において、同一な構成要素に対しては、たとえ他の図面上に表示されてもできる限り同一な符号が与えられていることに留意しなければならない。また、本発明の説明において、関連した公知構成または機能に対する具体的な説明が本発明の要旨を曖昧にすることができると判断される場合にはその詳細な説明は省略する。
【００２６】
図１は、本発明の好ましい実施例に係る携帯インターネット網と他の種類の網との連動機能を提供するシステムを示すブロック構成図である。
【００２７】
図１に示すように、本発明の好ましい実施例に係る携帯インターネット網と他の種類の網との連動機能を提供するシステムは、移動通信端末機１００、基地局（ＢＳ：Base Station）１１０、アクセスコントロールルータ（ＡＣＲ：Access Control Router）１２０、アクセスインターワークゲートウェイ（ＡＩＧ：Access Interwork Gateway）１３０、ＨＡ（Home Agent）１４０、ＡＡＡ（Authentication、Authorization、Accounting）１５０、パケットデータサービングノード（ＰＤＳＮ：Packet Data Serving Node）１６０、ＩＰネットワーク１７０及びインターネット１８０などを含むことができる。
【００２８】
本発明は、携帯インターネット網と他の種類の網との連動機能を提供するシステム及びこれを用いた連動方法を提示している。ここで、他の種類の網は、ＣＤＭＡ（Code Division Multiple Access）２０００網、ＧＳＭ（Global System for Mobile）網、またはＷ−ＣＤＭＡ（Wideband CDMA）網などを含み、これに限るのでない。本明細書では、説明及び理解の便宜のために、他の種類の網をＣＤＭＡ ２０００網として説明するが、これに限るのでないことは明白である。
【００２９】
本発明の好ましい実施例に係る移動通信端末機１００は、本発明の好ましい実施例に係る携帯インターネット網システムに接続して超高速無線インターネットサービスを利用する移動通信端末機をいい、低電力ＲＦ（Radio Frequency）／ＩＦ（Intermediate Frequency）モジュール及びコントローラ機能、サービス特性及び伝播環境によるＭＡＣ（Media Access Control）フレーム可変制御機能、ハンドオフ機能、認証及び暗号化機能などを遂行する。
【００３０】
本発明の好ましい実施例に係る移動通信端末機１００は、携帯インターネット網に接続時、基地局１１０から基地局識別情報を受信して、基地局識別情報から現在接続しているネットワークを識別するためのアクセス網識別情報（ＡＮＩＤ：Access Network Identification）を獲得して、携帯インターネット網から他の種類の網へ移動時、受信したアクセス網識別情報を他の種類の網に伝送して携帯インターネット網と他の種類の網との連動機能を遂行するようにする。ここで、移動通信端末機１００が携帯インターネット網から他の種類の網へ移動するということは、携帯インターネット網から他の種類の網へハンドオフ（Handoff）、またはローミング（Roaming）などをしなければならないということを意味する。
【００３１】
即ち、携帯インターネット網地域からＣＤＭＡ ２０００などを支援する移動電話サービス地域に移動通信端末機１００が移動したり、その反対の場合に、移動通信端末機１００が既存の呼を維持した状態で移動することになれば、既存に属していたネットワークに対する情報が必要となる。ＣＤＭＡ ２０００網では、基本的にＡＮＩＤに対するメッセージが定義されていて、既存に接続されたネットワークが如何なる網に接続されていたのかが分かるので、以前の網の処理がネットワーク側で可能になる。しかしながら、携帯インターネット網では、ＡＮＩＤに関する定義がされていないので、携帯インターネット網から移動通信端末機１００にＡＮＩＤを伝達するための方案が別に用意されなければならない。
【００３２】
このために、本発明の好ましい実施例に係るアクセス網識別情報は、基地局から伝送される基地局識別情報から獲得してシステム識別情報（ＳＩＤ：System Identification）、ネットワーク識別情報（ＮＩＤ：Network Identification）、パケット地域識別情報（ＰＺＩＤ：Packet Zone Identification）及び基地局情報に分離して格納したり、システム識別情報、ネットワーク識別情報、パケット地域識別情報及び基地局情報が抽出できる形態で格納する。これに対する詳細は、以下、基地局１１０の説明と共にすることにする。
【００３３】
一方、このような携帯インターネット網の連動を支援するための移動通信端末機１００のプロトコルスタックが図２に表れている。図２に示すように、本発明の好ましい実施例に係る移動通信端末機１００は、基本的にＣＤＭＡ ２０００サービスと携帯インターネット網サービスのためのデュアルスタック（Dual Stack）を運用している。また、インターフェースセレクションレイヤ（Interface Selection Layer）で最適の無線接続を遂行することができ、ＩＰアドレス（IP Address）は連続的なサービス遂行のために共有される。そして、本発明の好ましい実施例に係る移動通信端末機１００は、ＣＤＭＡ ２０００網及び携帯インターネット網の存在を自ら把握してサービスを要請する。
【００３４】
一方、本発明の好ましい実施例に係る移動通信端末機１００は、ＰＤＡ（Personal Digital Assistant）、セルラーフォン、ＰＣＳ（Personal Communication Service）フォン、ハンドヘルドＰＣ（Hand-Held PC）、ＧＳＭ（Global System for Mobile）フォン、Ｗ−ＣＤＭＡ（Wideband CDMA）フォン、ＣＤＭＡ−２０００フォン及びＭＢＳ（Mobile Broadband System）フォンなどがされることができる。
【００３５】
本発明の好ましい実施例に係る基地局１１０は、低電力ＲＦ／ＩＦモジュール及びコントローラ機能、ＯＦＤＭA／ＴＤＤパケットスケジューリングとチャンネル多重化機能、サービス特性及び伝播環境によるＭＡＣフレーム可変制御機能、５０Ｍｂｐｓ級高速トラフィックリアルタイム制御機能、ハンドオフ機能などを有する。また、本発明の好ましい実施例に係る基地局１１０は、システムＩＤ（ＳＩＤ：System ID）、ネットワークＩＤ（ＮＩＤ：Network ID）及びパケット地域ＩＤ（ＰＺＩＤ：Packet Zone ID）などを基準にして動作する。
【００３６】
本発明の好ましい実施例に係る基地局１１０は、本発明の好ましい実施例に係る移動通信端末機１００が携帯インターネット網に接続すれば、移動通信端末機１００から基地局識別情報を伝送する。基地局１１０でこのような基地局識別情報を伝達するために本発明の好ましい実施例ではメディアアクセス階層管理メッセージ（MAC Management Message）を利用する。
【００３７】
図３は、本発明の好ましい実施例に係るメディアアクセス階層管理メッセージを示す図である。
【００３８】
メディアアクセス階層管理メッセージは、携帯インターネット網トラフィックチャンネル（Traffic Channel）上のシグナリングメッセージ（Signaling Message）であって、ＭＡＣを管理するために多様なＭＡＣ管理メッセージの集合が定義されている。また、全てのメディアアクセス階層管理メッセージは、タイプフィールド（Type Field）から始めて、追加的なフィールドを含むことができる。
【００３９】
本発明の好ましい実施例によれば、基地局１１０から伝送される基地局識別情報は、このようなメディアアクセス階層管理メッセージのうち、タイプ２のＤＬ−ＭＡＰメッセージ（Downlink Access Definition Message）に含まれて伝送される。ここで、ＤＬ−ＭＡＰメッセージは下方リンク上で加入者移動通信端末機１００により時分割多重化（ＴＤＭ：Time Division Multiplexing）されるバースト（Burst）のシンボルオフセット（Symbol Offset）及びサブチャンネルオフセット（Sub-Channel Offset）と割り当てられた資源であるシンボル（Symbol）の個数及びサブチャンネル個数などを定義するメッセージである。即ち、ＤＬ−ＭＡＰメッセージは、ダウンリンク（Downlink）情報に対するアクセス（Access）情報を定義するメッセージである。
【００４０】
図４は、本発明の好ましい実施例に係るＤＬ−ＭＡＰメッセージのフォーマットを示す図である。
【００４１】
図４に示すように、ＤＬ−ＭＡＰメッセージは、PHY Synchronization、DCD Count、基地局識別情報（Base Station ID）、ＣＩＤ要素の数（Number of CID Elements）及びＣＩＤパラメータを含めて生成しなければならない。
【００４２】
このようなパラメータのうち、アクセス網識別情報に使用することができるパラメータは、基地局識別情報である。図４を参照すれば、基地局識別情報であるBase Station IDは４８ビット（Bit）長さのフィールドである。図４のＤＬ−ＭＡＰメッセージは全ての端末により受信されるので、アクセスシステムの識別子として十分に使用可能である。
【００４３】
ところが、ＣＤＭＡ ２０００網で使用するＡＮＩＤの構造は、図５の通りである。即ち、図４に示すように、携帯インターネット網で使用しようとする基地局識別情報の長さは４８ビットであり、図５に示すように、ＣＤＭＡ ２０００網で使用するＡＮＩＤの長さは４０ビット（正確には、３９ビット）で、互いに差が存在することになる。したがって、ＣＤＭＡ ２０００網の４０ビット長さのＡＮＩＤを携帯インターネット網の基地局識別情報の４８ビット長さでマッピング（Mapping）してくれる適切な方法が必要である。
【００４４】
図６は、本発明の好ましい実施例に係る携帯インターネット網で提供する基地局識別情報とＣＤＭＡ ２０００網で使用するＡＮＩＤのマッピング例を示す図である。
【００４５】
図６に示すように、基地局識別情報の最上位３２ビットは、オペレーションＩＤ（Operation ID）として使われるので、これをＡＮＩＤのシステムＩＤ（ＳＩＤ）とネットワークＩＤ（ＮＩＤ）に仕分けて処理する。また、次の８ビットは、パケット地域ＩＤ（ＰＺＩＤ）をマッピングし、残りの８ビットを携帯インターネット網基地局識別用に使用するようにする。１つのネットワークに２８＝２５６個の携帯インターネット網基地局が区別できるので、充分の数の基地局区別が可能である。このように処理してくれれば、４０ビットのＡＮＩＤと４８ビットの基地局識別情報が適切にマッピングされて携帯インターネット網でＡＮＩＤを獲得することができる。即ち、移動通信端末機１００は、携帯インターネット網システムから４８ビットの基地局識別情報を受信して、上位４０ビットをアクセス網識別情報（ＡＮＩＤ）に、下位８ビットを基地局識別用ＩＤに使用するものである。
【００４６】
本発明の好ましい実施例に係るアクセスコントロールルータ１２０は、多数個の基地局１１０を受容する制御局であって、基地局１１０間のハンドオフ制御機能、アクセスコントロールルータ１２０の間のハンドオフ機能、パケットルーティング機能、インターネット接続機能などを有し、ＩＰネットワーク１７０に接続される。
【００４７】
本発明の好ましい実施例に係るアクセスインターワークゲートウェイ１３０は、パケットデータサービングノード１６０とアクセスコントロールルータ１２０との点対点（Point to Point）インターフェースを中継して、移動通信端末機１００のＩＰアドレス割当のための動的ホスト設定通信規約（ＤＨＣＰ：Dynamic Host Configuration Protocol）サーバー機能を支援する。
【００４８】
本発明の好ましい実施例に係るＨＡ１４０は、インターネット１８０などの外部パケットデータサービスサーバーからパケットを伝送するルーティング（Routing）を遂行して、ＡＡＡ１５０は基地局１１０と連動して移動通信端末機１００で用いたパケットデータに対する課金を遂行して、移動通信端末機１００からの接続を認証する。
【００４９】
本発明の好ましい実施例に係るパケットデータサービングノード１６０は、移動通信端末機１００に対する以前網仕分け機能、ＣＤＭＡ ２０００呼と携帯インターネット呼を仕分けてＣＤＭＡ ２０００呼に対してのみＰＰＰ処理を遂行する機能及び移動通信端末機１００に対してＩＰアドレス割当を遂行するためのＤＨＣＰサーバー機能などを遂行する。
【００５０】
本発明の好ましい実施例に係るＩＰネットワーク１７０は、基地局１１０、アクセスコントロールルータ１２０、ＨＡ１４０及びＡＡＡ１５０などを連結させてあげて、インターネット１８０などの外部パケットデータサービスからパケットデータを伝達受けて基地局１１０に伝送する。
【００５１】
図７は、本発明の好ましい実施例に係る携帯インターネット網と他の種類の網との連動機能を提供する過程を示す順序図である。
【００５２】
まず、移動通信端末機１００が携帯インターネット網に接続する（Ｓ７００）。接続が成功すれば、移動通信端末機１００は基地局１１０から基地局識別情報を受信する（Ｓ７０２）。
【００５３】
移動通信端末機１００では、基地局識別情報を受信すれば、受信した基地局識別情報からＡＮＩＤを獲得する（Ｓ７０４）。この際、移動通信端末機１００は受信した基地局識別情報をシステム識別情報（ＳＩＤ）、ネットワーク識別情報（ＮＩＤ）、パケット地域識別情報（ＰＺＩＤ）、及び基地局情報に仕分けて格納する。これは、携帯インターネット網の外の他の種類の網でのＡＮＩＤとマッピングさせるためである。前述したように、他の種類の網がＣＤＭＡ ２０００網の場合、システム識別情報、ネットワーク識別情報、及びパケット地域識別情報がＣＤＭＡ ２０００網のＡＮＩＤとマッピングされる。
【００５４】
移動通信端末機１００が他の種類の網に移動（Ｓ７０６）してハンドオフまたはローミングなどが遂行されなければならない場合、移動通信端末機１００では受信した基地局識別情報から一部または全部を抽出したＡＮＩＤを携帯インターネット網のアクセス網識別情報として他の種類の網に伝送する（Ｓ７０８）。移動通信端末機１００からＡＮＩＤを受信した他の種類の網では、ハンドオフまたはローミングなどの連動を遂行する（Ｓ７１０）。
【００５５】
一方、本発明の好ましい第２実施例は、移動通信端末機１００が移動する中に、移動通信端末機１００が携帯インターネット網に接続すれば、携帯インターネット網との接続の以前に接続されていた他網を把握して通信サービスを持続するものである。
【００５６】
本発明の好ましい第２実施例に係る移動通信端末機１００は、携帯インターネット網接続時、現在の呼が他網との連続呼であるかどうかを判断して、現在の呼が他網との連続呼の場合、以前アクセス網情報を含んだ接続メッセージを基地局１１０に伝送する。ここで、連続呼はローミング（Roaming）またはハンドオフ（Handoff）による連続呼となる。
【００５７】
即ち、携帯インターネット網地域からＣＤＭＡ ２０００などを支援する移動電話サービス地域へ移動通信端末機１００が移動したり、その反対の場合に、移動通信端末機１００が既存の呼を維持した状態で移動することになれば、既存に属していたネットワークに対する情報が必要となる。ＣＤＭＡ ２０００網では、基本的にアクセス網ＩＤ（ＡＮＩＤ：Access Network ID）に対するメッセージが定義されていて、既存に接続されたネットワークが如何なる網に接続されていたかが分かるので、以前の網の処理がネットワーク側で可能になる。しかしながら、携帯インターネット網ではＡＮＩＤに関して定義されていないので、携帯インターネット網でＡＮＩＤを伝達するための方案が別に用意されなければならない。
【００５８】
このために、本発明の好ましい第２実施例に係る以前のアクセス網情報は、以前のアクセス網ＩＤ（ＰＡＮＩＤ：Previous Access Network ID）になることができ、移動通信端末機１００から基地局１１０に伝送される接続メッセージはメディアアクセス階層管理メッセージ（MAC Management Message）になることができる。
【００５９】
図８は、本発明の好ましい第２実施例に係るメディアアクセス階層管理メッセージを示す図である。
【００６０】
メディアアクセス階層管理メッセージは、携帯インターネット網トラフィックチャンネル（Traffic Channel）上のシグナリングメッセージ（Signaling Message）であって、ＭＡＣを管理するために多様なＭＡＣ管理メッセージの集合が定義されている。また、全てのメディアアクセス階層管理メッセージはタイプフィールド（Type Field）から始めて、追加的なフィールドを含むことができる。
【００６１】
本発明の第２実施例によれば、以前アクセス網情報である以前アクセス網ＩＤは、このようなメディアアクセス階層管理メッセージのうち、タイプ４のレーンジング要請メッセージ（RNG-REQ Message : Ranging Request Message）に含まれて伝送される。レーンジング要請メッセージは、移動通信端末機１００の初期化の際、または基地局１１０による要請の際、ネットワーク遅延（Delay）を決定し、電力またはダウンリンクバーストプロファイル（Downlink Burst Profile）の変更を要請するために移動通信端末機１００により伝送されるメッセージである。また、レーンジング要請メッセージは、基地局１１０と移動通信端末機１００の信号伝達遅延を測定して全ての上りリンクが基地局１１０に到達するタイミングを同期化することを主目的とし、電力制御、移動通信端末機の存在確認などに使われる。
【００６２】
図９ａは従来のレーンジング要請メッセージのフォーマットを示す図であり、図９ｂは本発明の好ましい第２実施例に係るレーンジング要請メッセージのフォーマットを示す図である。
【００６３】
即ち、図９ｂでのように、４８ビット（Bit）の長さを有するＰＡＮＩＤパラメータ（Parameter）を追加してＣＤＭＡ ２０００網のＰＡＮＩＤ情報を移動通信端末機１００から携帯インターネット網に伝達できるようになるものである。ここで、ＰＡＮＩＤパラメータの長さは４８ビットが好ましいか、これに限るのではない。
【００６４】
本発明の他の第２実施例によれば、以前アクセス網情報である以前アクセス網ＩＤは、メディアアクセス階層管理メッセージのうち、タイプ６の登録要請メッセージ（REG-REQ Message : Registration Request Message）に含まれて伝送される。ここで、登録要請メッセージは移動通信端末機１００が携帯インターネット網に接続を試みる時に伝送されるメッセージである。
【００６５】
図１０ａは従来の登録要請メッセージのフォーマットを示す図であり、図１０ｂは本発明の好ましい第２実施例に係る登録要請メッセージのフォーマットを示す図である。
【００６６】
即ち、図１０ｂでのように、４８ビット（Bit）の長さを有するＰＡＮＩＤパラメータ（Parameter）を追加してＣＤＭＡ ２０００網のＰＡＮＩＤ情報を移動通信端末機１００から携帯インターネット網に伝達できるようになるものである。ここで、ＰＡＮＩＤパラメータの長さは４８ビットが好ましいか、これに限るのではない。
【００６７】
ここで、第２実施例で説明しているＰＡＮＩＤフィールドは、ＣＤＭＡ ２０００網のような移動電話網、または、他の網から携帯インターネット網への接続時、移動通信端末機１００により伝送されるものであって、移動通信端末機１００が携帯インターネット網接続時に現在の呼が他網との連続呼でないと判断された場合には、ＰＡＮＩＤフィールドが含まれていないメッセージを伝送することになる。
【００６８】
本発明の好ましい第２実施例に係るアクセスコントロールルータ１２０は、移動通信端末機１００から基地局１１０を経由して前述した接続メッセージを受信すれば、接続メッセージに含まれている以前アクセス網情報を用いて接続解除する他網のパケットデータサービングノード（ＰＤＳＮ：Packet Data Serving Node）を選択する。
【００６９】
図１１は、本発明の好ましい第２実施例に係る携帯インターネット網で他網との連動機能を提供する過程を示す順序図である。
【００７０】
まず、移動通信端末機１００が携帯インターネット網に接続する（Ｓ１１００）。移動通信端末機１００では、現在の呼が他網との連続呼であるか、すなわちローミングまたはハンドオフを遂行しなければならない状態であるかを自ら判断する（Ｓ１１０２）。
【００７１】
判断結果、現在の呼が他網との連続呼であれば、以前アクセス網情報を含んだ接続メッセージを基地局１１０に伝送する（Ｓ１１０４）。ここで、以前アクセス網情報は、以前アクセス網ＩＤになることができ、以前アクセス網ＩＤが含まれる接続メッセージは、レーンジング要請メッセージ、または登録要請メッセージなどになることができる。
【００７２】
次に、本発明の好ましい第２実施例に係るアクセスコントロールルータ１２０は、基地局１１０を経由して受信された接続メッセージから以前アクセス網情報を用いて接続解除する他網のパケットデータサービングノードを選択し（Ｓ１１０６）、接続を解除するように制御する（Ｓ１１０８）。
【００７３】
一方、Ｓ１１０２の判断結果、現在の呼が他網との連続呼でないと判断されれば、移動通信端末機１００は、以前アクセス網情報が含まれていない接続メッセージを基地局１１０に伝送する（Ｓ１１１０）。
【００７４】
本発明の好ましい実施例に係る連動機能は、前述した３Ｇ−ＷＬＡＮ連動方式で説明した疎結合（Loosely-Coupled）連動方案、密結合（Tightly-Coupled）連動方案及びこの２つを補完した平滑結合（Smoothly-Coupled）連動方案など、連動方案の形態に関係なしに適用可能であるという特徴を有する。
【００７５】
以上の説明は、本発明を例示的に説明したことに過ぎないものであって、本発明が属する技術分野で通常の知識を有する者であれば、本発明の本質的な特性から外れない範囲で多様な変形が可能である。したがって、本明細書に開示された実施例は本発明を限定するためのものでなく、説明するためのものであり、このような実施例により本発明の思想と範囲が限るのではない。本発明の範囲は下記の請求範囲により解されなければならなくて、それと同等な範囲内にある全ての技術は本発明の権利範囲に含まれることと解されているべきである。
【図面の簡単な説明】
【００７６】
【図１】本発明の好ましい実施例に係る携帯インターネット網と他の種類の網との連動機能を提供するシステムを示すブロック構成図である。
【図２】本発明の好ましい実施例に係る移動通信端末機のプロトコルスタックである。
【図３】本発明の好ましい実施例に係るメディアアクセス階層管理メッセージを示す図である。
【図４】本発明の好ましい実施例に係るＤＬ−ＭＡＰメッセージのフォーマットを示す図である。
【図５】ＣＤＭＡ ２０００網で使用するＡＮＩＤの構造を示す図である。
【図６】本発明の好ましい実施例に係る携帯インターネット網で提供する基地局識別情報とＣＤＭＡ ２０００網で使用するＡＮＩＤのマッピング例を示す図である。
【図７】本発明の好ましい実施例に係る携帯インターネット網と他の種類の網との連動機能を提供する過程を示す順序図である。
【図８】本発明の好ましい第２実施例に係るメディアアクセス階層管理メッセージを示す図である。
【図９】従来のレーンジング要請メッセージのフォーマット及び本発明の好ましい第２実施例に係るレーンジング要請メッセージのフォーマットを示す図である。
【図１０】従来の登録要請メッセージのフォーマット及び本発明の好ましい第２実施例に係る登録要請メッセージのフォーマットを示す図である。
【図１１】本発明の好ましい第２実施例に係る携帯インターネット網で他網との連動機能を提供する過程を示す順序図である。
【図１】
2008507937.tif 000003
【図２】
2008507937.tif 000004
【図３】
2008507937.tif 000005
【図４】
2008507937.tif 000006
【図７】
2008507937.tif 000007
【図８】
2008507937.tif 000008
【図９ａ】
2008507937.tif 000009
【図９ｂ】
2008507937.tif 000010
【図１０ａ】
2008507937.tif 000011
【図１０ｂ】
2008507937.tif 000012
【図１１】
2008507937.tif 000013
【図５】
2008507937.tif 000014
【図６】
2008507937.tif 000015
【国際調査報告】
2008507937.tif 000016
2008507937.tif 000017